【手続補正書】
【提出日】令和3年6月14日(2021.6.14)
【手続補正１】
【補正対象書類名】明細書
【補正対象項目名】００１９
【補正方法】変更
【補正の内容】
【００１９】
図４Ｂは、例に係る、経時的な流体流量メータ１００の流量センサ１４０の検出信号のプロット１９０である。より具体的には、プロット１９０は、楕円形歯車１０８および１１０がメータを通る流体の流れに応じて順方向に回転するときに、検出可能な領域１４６を感知する流量センサ１４０の検出信号を示す。プロット１９０は、時点１９１ａ、１９１ｂ、１９２ａ、１９２ｂを含む。最初に、流量センサ１４０の検出信号は、ローであって、楕円形歯車１０８および１１０は、検出可能領域１４６がセンサの検知領域内にない回転位置にあることを示している。検出信号は、時点１９１ａと１９２ａの間、また１９１ｂと１９２ｂの間でハイであり、検出可能な領域１４６が、流量センサ１４０によって感知される楕円形歯車１０８の回転位置を示している。検出信号は、時点１９２ａと１９１ｂの間で、および時点１９２ｂの後も再びローになり、検出可能な領域１４６がセンサによって感知されない楕円形歯車１０８の回転位置を示している。時点１８１ａと１８１ｂとの間、または代替的に１８２ａと１８２ｂとの間の間隔は、流体流量メータ１００における単一の検出可能領域１４６が存在するため、楕円形歯車１０８および１１０の１回の完全な回転における全ての回転位置を表し得る。追加の、もしくはより少ない回転位置および／または検出可能な領域が、（以下でさらに記載されるように）本開示の範囲内で企図される。
【手続補正２】
【補正対象書類名】明細書
【補正対象項目名】００４９
【補正方法】変更
【補正の内容】
【００４９】
様々な実施例が記載されている。これらおよび他の実施例は、以下の特許請求の範囲の範囲内にある。本発明の実施形態の例を列記する。
［１］
流体流量メータであって、前記流体流量メータは、
流動チャンバと、
第２の歯車と噛み合う第１の歯車であって、前記第１の歯車および前記第２の歯車が、前記流動チャンバ内に配置され、前記第１の歯車および前記第２の歯車の前記噛み合いにより、前記流動チャンバを通る流体の流量に応じて、前記第１の歯車および前記第２の歯車の同期回転を可能にする、前記第１の歯車と、
前記流動チャンバを通る流体の通過ならびに／または前記第１の歯車および前記第２の歯車の同期回転に応じて検出信号を生成するように構成された流量センサと、
入力パルス生成器および正規化出力パルス生成器を有するコントローラと、を備え、前記コントローラが、
前記流体センサから検出信号を受信し、
前記流体センサから検出信号を受信すると、前記入力パルス生成器に入力パルスを生成させ、
入力パルスが生成されるたびに、入力パルスあたりの容積に等しい量だけ、容積カウンタを増大させ、
前記容積カウンタが第１の参照容積を超えるときに、前記正規化出力パルス生成器を、前記正規化出力パルス生成器が出力パルスを生成しない状態から、前記正規化出力パルス生成器が正規化出力パルスの生成を開始する状態に遷移させ、
前記正規化出力パルス生成器を、前記正規化出力パルス生成器が正規化出力パルスを生成する状態から、前記正規化出力パルス生成器が前記出力パルスの生成を停止する状態に遷移し戻すように構成されている、流体流量メータ。
［２］
前記コントローラが、前記正規化出力パルスが生成される際に、またはその後に、前記第１の参照容積だけ前記容積カウンタを減少させるように構成されている、項目１に記載の流体流量メータ。
［３］
前記コントローラは、容積カウンタが前記第１の参照容積に対応するかを判定するように構成されており、前記容積カウンタが前記第１の参照容積に対応する場合、前記正規化出力パルス生成器は、前記容積カウンタが第２の参照容積に対応するまで、単一の正規化出力パルスを生成するようにさらに構成されている、項目１または２に記載の流体流量メータ。
［４］
前記容積カウンタが前記第２の参照容積を超える場合、前記コントローラが、前記第２の参照容積だけ前記容積カウンタを減少させるようにさらに構成されている、項目１〜３のいずれか一項に記載の流体流量メータ。
［５］
前記容積カウンタがその後に第１の参照容積に達したときに、前記コントローラは、前記正規化出力パルス生成器を、前記正規化出力パルス生成器が正規化出力パルスを生成する状態に遷移させるようにさらに構成されている、項目１〜４のいずれか一項に記載の流体流量メータ。
［６］
前記流体流量メータの測定精度が＋／−ΔＶであり、それによってΔＶは、前記第１の参照容積にほぼ等しい、項目１〜５のいずれか一項に記載の流体流量メータ。
［７］
前記流量メータが正規化出力パルス生成のために５０％のデューティサイクルを有するように、前記コントローラは、前記正規化出力パルス生成器を、前記正規化出力パルス生成器がパルス周期の半分に対応する持続時間の正規化出力パルスを生成する状態から遷移させるように構成されている、項目１〜６のいずれか一項に記載の流体流量メータ。
［８］
前記コントローラは、入力パルスが生成されるたびに非整数値だけ前記容積カウンタを増大させるように構成されている、項目１〜７のいずれか一項に記載の流体流量メータ。
［９］
前記コントローラに動作可能に接続された非一時的データ記憶媒体をさらに備え、前記非一時的データ記憶媒体が、入力パルスが生成されたときに前記容積カウンタを増大する前記非整数値を格納するように構成されている、項目１〜８のいずれか一項に記載の流体流量メータ。
［１０］
前記非整数値は、前記流量センサが入力パルスを生成するときに前記流体流量メータを通過する容積に対応する、項目１〜９のいずれか一項に記載の流体流量メータ。
［１１］
前記流体流量メータの測定分解能が、前記第１の参照容積とほぼ等しい、項目１〜１０のいずれか一項に記載の流体流量メータ。
［１２］
流体流量メータの正規化出力を提供する方法であって、前記方法は、
流体流量メータを提供することであって、前記流体流量メータは、
流動チャンバと、
第２の歯車と噛み合う第１の歯車であって、前記第１の歯車および前記第２の歯車が、前記流動チャンバ内に配置され、前記第１の歯車および前記第２の歯車の前記噛み合いにより、前記流動チャンバを通る流体の流量に応じて、前記第１の歯車および前記第２の歯車の同期回転を可能にする、前記第１の歯車と、
流量センサと、
入力パルス生成器および正規化出力パルス生成器を有するコントローラとを備える、流体流量メータを提供することと、
前記流体センサから検出信号を受信することと、
前記流量センサからの検出信号が前記コントローラによって受信されたときに、前記入力パルス生成器を使用して入力パルスを生成することと、
入力パルスが生成されるたびに、入力パルスあたりの容積に等しい量だけ、容積カウンタを増大させることと、
前記容積カウンタが第１の参照容積を超えるときに、前記正規化出力パルス生成器を、正規化出力パルスを生成しない状態から、前記正規化出力パルスの生成を開始する状態に遷移させることと、
前記容積カウンタが第２の参照容積を超えるときに、前記正規化出力パルス生成器を、前記正規化出力パルスを生成する状態から、前記正規化出力パルスの生成を停止する状態に遷移させることとを備える、方法。
［１３］
正規化出力パルスに対応する容積がＭであり、前記第１の参照容積がＭ／２であり、前記第２の参照容積がＭである、項目１２に記載の方法。
［１４］
前記第１の歯車および前記第２の歯車の回転が既定の有効な回転状態に対応するときに、前記流量センサが検出信号を生成する、項目１２または１３に記載の方法。
［１５］
流体流量メータの正規化出力を提供する方法であって、前記方法は、
流体流量メータを提供することであって、前記流体流量メータは、
流動チャンバと、
第２の歯車と噛み合う第１の歯車であって、前記第１の歯車および前記第２の歯車が、前記流動チャンバ内に配置され、前記第１の歯車および前記第２の歯車の前記噛み合いにより、前記流動チャンバを通る流体の流量に応じて、前記第１の歯車および前記第２の歯車の同期回転を可能にする、前記第１の歯車と、
入力パルス生成器および正規化出力パルス生成器を有するコントローラとを備える、流体流量メータを提供することと、
容積の非整数値が前記流体流量メータを通過するときに、前記入力パルス生成器を使用して入力パルスを生成することと、
入力パルスが生成されたときに、前記流量メータを通過する容積の前記非整数値に等しい量だけ、容積カウンタを増大することと、
前記容積カウンタが第１の参照容積を超えるときに、前記正規化出力パルス生成器を、正規化出力パルスを生成しない状態から、前記正規化出力パルスの生成を開始する状態に遷移させることと、
前記容積カウンタが第２の参照容積を超えるときに、前記正規化出力パルス生成器を、前記正規化出力パルスを生成する状態から、前記正規化出力パルスの生成を停止する状態に遷移させることと、を備え、それによって、
前記第１の参照容積が、前記第２の参照容積の半分である、方法。
［１６］
前記非整数値が、入力パルスの平均パルス速度である、項目１５に記載の方法。
［１７］
前記第２の参照容積が、ゼロ以外の整数である、項目１５または１６に記載の方法。
［１８］
正規化出力パルスの周波数が、前記入力パルスの周波数よりも低い、項目１５〜１７のいずれか一項に記載の方法。
［１９］
正規化出力パルスの周波数が、前記入力パルスの周波数よりも低い、項目１５〜１８のいずれか一項に記載の方法。
［２０］
流体流量を測定し、出力を正規化するための、項目１〜１１のいずれか一項に記載の流体流量メータの使用。